(57)【要約】  本発明は、特にはエアバックのイグナイター用の電気ソケットプラグインコネクタ用などの電気プラグインコネクタ（１０）用のコネクタ組立体（１２）であって、少なくとも１つの電気コンタクト手段（５０）を備えることが可能なコンタクトケーシング（１００）と、ロック手段（２１０）を備え、前記ロック手段により、前記コンタクト手段が前記コンタクトケーシング内にロック可能とするコンタクト固定手段（２００）と、を備え、前記コンタクト固定手段は、前記コンタクト手段に接続される電線（６０）用の少なくとも部分的なストレインリリーフを前記コネクタ組立体上／内に構成するストレインリリーフ手段（２３０）を備え、および／または、前記コネクタ組立体は、前記コネクタ組立体上の仮ラッチ位置（Ｖ）から始まり、最終ラッチ位置（Ｅ）へ向けて、前記コネクタ組立体の前記コンタクト固定手段および／またはストレインリリーフカバー（３００）と係合するように移動可能なプラグインコネクタ固定手段（４００）を備えることを特徴とするコネクタ組立体に関する。【選択図】図４
2013531340.tif 000002
【特許請求の範囲】
【請求項１】
特にはエアバックのイグナイター用の電気ソケットプラグインコネクタ用などの電気プラグインコネクタ（１０）用のコネクタ組立体（１２）であって、
少なくとも１つの電気コンタクト手段（５０）を備えることが可能なコンタクトケーシング（１００）と、
ロック手段（２１０）を備え、前記ロック手段により前記コンタクト手段が前記コンタクトケーシング内にロック可能とするコンタクト固定手段（２００）と、を備え、
前記コンタクト固定手段は、前記コンタクト手段に接続される電線（６０）用の少なくとも部分的なストレインリリーフを前記コネクタ組立体上／内に構成するストレインリリーフ手段（２３０）を備え、および／または、
前記コネクタ組立体は、前記コネクタ組立体上の仮ラッチ位置（Ｖ）から始まり、最終ラッチ位置（Ｅ）へ向けて、前記コネクタ組立体の前記コンタクト固定手段および／またはストレインリリーフカバー（３００）と係合するように移動可能なプラグインコネクタ固定手段（４００）を備えることを特徴とするコネクタ組立体。
【請求項２】
前記コネクタ組立体のストレインリリーフカバー（３００）は、ストレインリリーフ手段（３３０）を備え、
前記ストレインリリーフ手段が前記コンタクト固定手段の前記ストレインリリーフ手段と協働することで、前記コンタクト手段に接続された前記電線用にストレインリリーフを構成可能であり、
好適には、前記電線用の前記ストレインリリーフを構成するために、前記ストレインリリーフ手段が互いにほぼ正反対に移動可能であり、
好適には、少なくとも１つの歯（２３２，３３２）によって、前記ストレインリリーフ手段の間に前記電線の電気絶縁被膜（６００）が機械的に挟み込まれることが可能となる請求項１記載のコネクタ組立体。
【請求項３】
特には、フェライト（７０）として形成される前記プラグインコネクタ用のチョーク手段（７０）が、前記コンタクト固定手段と前記ストレインリリーフカバーとの間の一次元方向において遊び無しでほぼ受容可能であり、
前記ストレインリリーフカバー（３００）は、好適には、停止部（３２２）または突起を備え、および／または、前記コンタクト固定手段は、好適には、突起（２２２）または停止部を備え、かつ、前記チョーク手段は、突起または停止部の間に挟み込まれることが可能であり、および／または、
前記ストレインリリーフカバーおよび／または前記コンタクト固定手段は、好適には、特には、ばねタブなどのばね手段を備え、
前記チョーク手段は、前記ばね手段により、前記ストレインリリーフカバー３００の方向または前記コンタクト固定手段の方向に押圧可能である請求項１または２記載のコネクタ組立体。
【請求項４】
前記プラグインコネクタ固定手段は、好適には突起（４３４）やスタッド（４３４）として形成される係合手段（４３４）を備え、
前記係合手段は、好適には凹部（２３４）すなわち貫通凹部（２３４）として形成される前記コンタクト固定手段の係合手段（２３４）と係合するように移動可能であり、
および／または、
前記プラグインコネクタ固定手段は、ラッチ突起（４３６）またはラッチフック（４３６）として好適に形成されるラッチ手段（４３６）を備え、
前記ラッチ手段は、好適にはアンダーカット凹部（３３６）すなわち貫通凹部（３３６）として形成される前記ストレインリリーフカバーのラッチ手段（３３６）と係合するように移動可能である請求項１から３のいずれか１項記載のコネクタ組立体。
【請求項５】
前記コンタクト手段および前記ストレインリリーフカバーは、好適には前記それぞれの前記ストレインリリーフ手段の領域内において、互いに固定可能であり、
好適には、ラッチフック（２３８）として形成されたラッチ手段（２３８）が前記ストレインリリーフ手段（２３０）上に備えられ、
好適には、ラッチ肩部（３３８）として形成されたラッチ手段（３３８）が前記ストレインリリーフ手段（３３０）上に備えられ、
前記ラッチ手段（２３８）は、好適には、前記コンタクト固定手段の前記ストレインリリーフ手段（２３０）の長手方向の自由端部に備えられ、
前記ラッチ手段（３３８）は、好適には、前記ストレインリリーフカバーの前記ストレインリリーフ手段（３３０）の中央部に備えられる請求項１から４のいずれか１項記載のコネクタ組立体。
【請求項６】
前記コンタクト固定手段の前記ストレインリリーフ手段（２３０）は、前記ストレインリリーフカバーの前記ストレインリリーフ手段（３３０）内の凹部（３３１）内に係合可能であり、
前記電線の前記電気絶縁被膜は、前記ストレインリリーフ手段（２３０）の一部によって、前記２つのストレインリリーフ手段（２３０，３３０）の相互の係合状態において、前記ストレインリリーフ手段（２３０）の２つの部分に対して押圧されることが可能である請求項１から５のいずれか１項記載のコネクタ組立体。
【請求項７】
前記コンタクト固定手段は、前記コネクタ組立体の長手方向（Ｌ）に沿って延伸する細長部（２２０）を備え、
前記細長部は、前記ロック手段と前記ストレインリリーフ手段とを好適には材料に関して一部材で接続し、
前記チョーク手段を挟み込むための前記突起または前記停止部または前記ばね手段または前記ばねタブは、好適には、前記ストレインリリーフ手段に近接した前記細長部上の内部に備えられる請求項１から６のいずれか１項記載のコネクタ組立体。
【請求項８】
前記コンタクト固定手段は、前記コネクタ組立体の長手方向（Ｌ）に沿ってほぼＵ字形状の突起であり、前記コネクタ組立体上に両方のリムによって固定可能であり、
前記プラグインコネクタ固定手段によって、
前記コンタクト固定手段は、長手方向の端部において、および／または、細長部（２２０）の中央部において、前記コネクタ組立体上に保持可能であるか、
または、前記コンタクト固定手段は、前記コンタクトケーシング上に共に固定可能である請求項１から７のいずれか１項記載のコネクタ組立体。
【請求項９】
前記プラグインコネクタ固定手段は、前記コネクタ組立体内に一体化された好適には断面において完全な環状壁（４５０）を備える要素であり、
前記環状壁は、前記プラグインコネクタ固定手段が前記コンタクトケーシングのガイドタブ（１５２）上において移動するように着座されるガイド凹部（４５２）を備え、
前記コンタクト固定手段の前記ストレインリリーフ手段（２３０）は、好適には、前記ガイド凹部から突出する前記ガイドタブの一部と係合可能であり、
前記チョーク手段は、前記ストレインリリーフカバーの前記ストレインリリーフ手段（３３０）と前記コンタクト手段の段状部（５１０）との間に受容可能であり、および／または、
前記コンタクト固定手段は、前記ストレインリリーフ手段（２３０）の反対側に配置される細長部（２２０）の端部上において、前記コンタクトケーシングとラッチ係合可能とされる請求項１から８のいずれか１項記載のコネクタ組立体。
【請求項１０】
請求項１から９のいずれか１項記載のコネクタ組立体（１２）を備え、
特には、エアバックのイグナイター用など、特には、電気ソケットプラグインコネクタなどの電気プラグインコネクタ、または、製造された電気ケーブル（２）であって、
電線（６０）が任意に接続される少なくとも１つの電気コンタクト手段（５０）は、前記コネクタ組立体のコンタクトケーシング（１００）内にロックされる電気プラグインコネクタ、または、製造された電気ケーブル（２）。
【発明の詳細な説明】
【技術分野】
【０００１】
本発明は、特にはエアバックのイグナイター用の電気ソケットプラグインコネクタ用などの電気プラグインコネクタ用のコネクタ組立体に関する。さらに、本発明は、本発明のコネクタ組立体を備えた、特にはエアバックのイグナイター用の電気ソケットプラグインコネクタなどの電気プラグインコネクタまたは製造された電気ケーブルに関する。
【０００２】
電子工学および／または電気工学の分野において、多数の電気ピンコネクタやソケットコネクタ（以下（電気）プラグプラグインコネクタと称する）は、電圧、電流、周波数およびデータ速度の最大限の可能な範囲を備え、電力伝送および／または電気信号伝送に有用なものとして知られている。特に自動車分野において、そのようなプラグインコネクタは、熱ストレス、湿気、汚れおよび／または化学的に苛酷な環境下で電力および電気信号の欠点のない伝送を永続的に確保しなければならない。プラグインコネクタ用のアプリケーションの範囲は大きいので、多数の特別用に最適化されたプラグインコネクタが知られている。
【０００３】
例えば、自動車におけるエアバックなどのイグナイターやベルト張力手段と乗客拘束装置の電気制御ユニットとの間の導電接続など、特に安全性が重要視されるべき電気接続においては、高度な要求が、生産される電気プラグインコネクタには課せられている。このために用いられることが可能なプラグインコネクタは、誤作動がなく、コンパクトな設計でなければならない。この場合において、例えば、エアバックのプラグインコネクタは、一方ではエアバックのイグナイターへトリガ信号を完全に信頼性ある状態で伝送しなければならないが、他方では、例えば自動車電子システム内の電圧ピークから生じる電気スプリアス信号がエアバックの意図しない作動を引き起こさないようにしなければならない。そのような電気電圧ピークを防止し、その効果を最小限にするために、エアバック用プラグイン接続またはエアバックプラグインコネクタは、電気的または電磁的チョーク（Choke)手段を備える。
【０００４】
多くの要求が、生産されるエアバックプラグインコネクタ内の電気接続およびエアバックプラグインコネクタと共に生産される導電プラグイン接続に課される。特に、この場合において、エアバックプラグインコネクタ内に配置される電気コンタクト手段のしっかりとした組立が確実にされるべきである。さらに、コストの理由だけではなく、達成可能な組立体上のより低い誤動作率のためにも可能な限り簡易な組立とすることが望まれている。エアバックプラグインコネクタ内のコンタクト手段の組立において、フェライトコアチョーク手段（簡略のためフェライトと称する）などのチョーク手段の通常の組立も行われる。
【０００５】
電気プラグインコネクタの場合において、電線上の負荷（例えば自動車内の苛酷な環境的条件のために引き起こされる直線移動および／または直線振動など）は、関連する電線と関連する電気コンタクト手段との間の電気接続へ伝送されることなく、さらには、電気プラグイン接続の２つのコンタクト手段の間の電気接続へも伝送されることがないという要求がある場合がある。プラグインコネクタまたはプラグインコネクタおよび相手コネクタを構成するプラグイン接続における機械的負荷は、コンタクト要素に接続された電線におけるプラグインコネクタの後ろまたはプラグイン接続の前後に配置された別体の遮断手段によって遮断される場合がある。しかし、このことは、部材数、コストおよび組立の点でコストが増大してしまう不利な点を生む。他には、電気プラグコネクタ上の直接の電線固定部が公知である。
【０００６】
それゆえに、ドイツ国特許出願公開１０２００６０２８２０２号明細書には、コンタクトケーシングとこのコンタクトケーシングに回転可能に接続されるカバーを備え、前記カバーが閉じられる際に、カバー部分がコンタクトケーシングの一部を形成可能なように、カバーが挿入面とケーブル供給面との間のコンタクトケーシング上に配置される自動車用電気プラグインコネクタが開示されている。カバーの部分において、蓋の自由端へ外側に開口する少なくとも１つのガイドスロットがある。このガイドスロットにおいて、少なくとも１本の関連する電線がカバーを閉じた上に配置することが可能であり、カバーのガイドスロットは、カバーが閉じられる際に、電線が固定されるように締め付けられる。
【発明の概要】
【発明が解決しようとする課題】
【０００７】
プラグインコネクタ用の改善されたコネクタ組立体および改善された電気プラグインコネクタを工夫することが本発明の目的である。この場合、コネクタ組立体内の電気コンタクト手段およびフェライトなどのチョーク手段の確実かつ簡易な組立は、可能な限り低コストで実施可能であるべきである。そのような場合において、プラグインコネクタ上に備えられた電線の永続的に信頼性の高いストレインリリーフが実現されるべきであり、チョーク手段が少なくとも一つの空間次元において、可能な限り遊びがないような方法でプラグインコネクタ内に収容されるべきである。コンタクト手段の組立およびチョーク手段の組立も顧客の設備に沿う必要があるので、既に少なくとも部分的に構成された電線を備えるプラグインコネクタを独立して備えることが可能となる。さらに、コネクタ組立体は（それゆえにプラグインコネクタも）、小さく、コンパクトで、頑強に設計されるべきである。
【課題を解決するための手段】
【０００８】
本発明の目的は、請求項１記載の電気プラグインコネクタ（特にエアバックのイグナイター用の電気ソケットプラグインコネクタ）用のコネクタ組立体、および、請求項１０記載の電気プラグインコネクタ（特には電気ソケットプラグインコネクタ）または製造された電気ケーブル（特にはエアバックのイグナイター用）によって達成される。本発明の好適な態様が従属項によって明らかにされる。
【０００９】
本発明のコネクタ組立体または本発明の電気プラグインコネクタは、少なくとも１つの電気コンタクト手段を備えることが可能または備えるコンタクトケーシングを有する。さらに、コンタクト固定手段は、コンタクト手段がコンタクトケーシング内にロック可能またはロックされるように備えられる。以下の実施形態は、プラグインコネクタについてのみ関するが、コネクタ組立体についても同様に援用可能である。この場合において、本発明は、複数の異なる形態を含む。異なる各形態は主な特徴を備え、異なる形態は、プラグインコネクタまたはコネクタ組立体において、個別またはいかなる組み合わせを実現可能である。以下さらなる図面の記載において、２つの実施形態のみが議論される。一般的に本発明の実施形態は、個別のコネクタ組立体または個別のプラグインコネクタにおける１つまたは複数の異なる形態で実現される。
【００１０】
それゆえに、本発明の１つの異なる形態において、電気コンタクト手段用のコンタクト固定手段は、プラグインコネクタ上／内の電線用の少なくとも部分的なストレインリリーフがその上に備えられたストレインリリーフ手段によって構成されることが可能なように設計される。好適には、本場合において、ストレインリリーフ手段は、コンタクト固定手段と材料の点で一部材となるように形成される。この場合において、拡張された実施形態において、プラグインコネクタは、付加的に、好適には材料の点で一部材となるように形成されるストレインリリーフ手段を備えるストレインリリーフカバーを有する。そのようにすることによって、コンタクト固定手段のストレインリリーフ手段と協働して、プラグインコネクタと電気接続される電線のストレインリリーフが構成される。この実施形態において、電線用ストレインリリーフの構成において、２つのストレインリリーフ手段がほぼ互いに向かって移動可能である。ストレインリリーフ手段によって、好適にはそれぞれの場合、関連するストレインリリーフ手段の少なくとも１つの歯によって、電線の電気絶縁被膜は挟み込み可能な状態となる。
【００１１】
本発明の一実施形態において、前記コンタクト手段および前記ストレインリリーフカバーは、前記それぞれの前記ストレインリリーフ手段の領域内において、互いに固定可能である。この場合において、例えば、ラッチフックとして形成されたラッチ手段が、前記コンタクト固定手段の前記ストレインリリーフ手段上に備えられてもよい。例えばラッチ肩部として形成されたラッチ手段が、前記ストレインリリーフカバーの前記ストレインリリーフ手段上に備えられてもよい。この場合において、一方の前記ラッチ手段は、好適には、前記コンタクト固定手段の前記ストレインリリーフ手段の長手方向の自由端部の外側に備えられ、もう一方の前記ラッチ手段は、好適には、前記ストレインリリーフカバーの前記ストレインリリーフ手段の中央部の内側に備えられると好適である。
【００１２】
さらに、前記コンタクト固定手段の前記ストレインリリーフ手段は、前記ストレインリリーフカバーの前記ストレインリリーフ手段内の凹部内に係合可能である。前記２つのストレインリリーフ手段の相互の係合状態において、前記電線の前記電気絶縁被膜は、それから前記コンタクト固定手段の前記ストレインリリーフ手段の一部によって、前記ストレインリリーフ手段の２つの部分に対して押圧される。このために把持力は、プラグインコネクタ上／内のコンタクト固定手段またはストレインリリーフカバーのストレインリリーフカバーおよびそれぞれの対面とカバーとのラッチ係合から好適には生じる。これにより、例えばチョーク手段（上の前記コンタクト固定手段の支持（以下参照）および前記ストレインリリーフ手段から離れた前記プラグインコネクタのコネクタケーシングと前記コンタクト固定手段のラッチ係合、および／または、コンタクトケーシングのガイドタブ上の前記ストレインリリーフカバーの支持となる）上のコンタクト固定手段の支持部となる。
【００１３】
本発明の別の実施形態において、プラグインコネクタは、プラグインコネクタ固定手段を付加的にまたは置換的に備える。プラグインコネクタ固定手段は、コネクタ組立体における仮ラッチ位置から始まり、最終ラッチ位置へ向かい、プラグインコネクタのコンタクト固定手段および／またはストレインリリーフカバーと係合するように移動可能である。この場合において、プラグインコネクタ固定手段は、特には突起やスタッドとして形成される係合手段を備える。前記係合手段は、特には凹部または貫通凹部として形成される前記コンタクト固定手段の係合手段と係合するように移動可能である。さらに前記プラグインコネクタ固定手段は、特にラッチ突起またはラッチフックとして形成されるラッチ手段を備え、前記ラッチ手段は、特にはアンダーカット凹部または貫通凹部として形成される前記ストレインリリーフカバーのラッチ手段と係合するように移動可能である。このことは、前記コンタクト固定手段および／または前記ストレインリリーフカバーが、例えば振動などによってももはやプラグインコネクタから離れるように移動することはできないことを意味する。
【００１４】
本発明の別の実施形態において、特には、フェライトとして形成される前記プラグインコネクタ用のチョーク手段が、前記コンタクト固定手段と前記ストレインリリーフカバーとの間の一次元方向において遊び無しでほぼ受容可能である。このために、前記ストレインリリーフカバーは、停止部または突起を備え、および／または、前記コンタクト固定手段は、突起または停止部を備え、かつ、前記チョーク手段は、それらの間に挟み込まれることが可能である。さらに、前記ストレインリリーフカバーおよび／または前記コンタクト固定手段は、特には、ばねタブなどのばね手段を置換的または付加的に備える。このことによって、前記チョーク手段は、前記ストレインリリーフカバーの方向または前記コンタクト固定手段の方向に押圧可能である。
【００１５】
本発明の別の実施形態において、前記コンタクト固定手段は、前記プラグインコネクタの長手方向に沿って延伸する細長部を備え、前記細長部は、前記ロック手段と前記ストレインリリーフ手段とを特には一体化して接続する。
前記チョーク手段を挟み込むための前記突起または前記停止部または前記ばね手段または前記ばねタブは、好適には、前記ストレインリリーフ手段に近接した前記細長部上の内部に備えられる。突起内のプラグインコネクタの実施形態における前記コンタクト固定手段は、ほぼＵ字形状の突起である。このＵ字形状の２つのリムは、前記プラグインコネクタ固定手段が前記プラグインコネクタ上／内にそこで固定可能であるように好適には設計される。さらに、前記プラグインコネクタ固定手段によって、前記コンタクト固定手段は、長手方向の端部において、および／または、細長部の中央部において、前記プラグインコネクタ上に保持可能であるか、または、前記コンタクト固定手段は、前記コンタクトケーシング上に共に固定可能である。
【００１６】
本発明の別の実施形態において、前記プラグインコネクタ固定手段は、前記プラグインコネクタ内に一体化された好適には断面において完全な環状壁を備える要素であってもよい。前記環状壁は、この場合において、例えば、前記プラグインコネクタ固定手段が前記コンタクトケーシングのガイドタブ上において移動するように着座されるガイド凹部を備える。さらに、前記コンタクト固定手段の前記ストレインリリーフ手段は、好適には、前記ガイド凹部から突出する前記ガイドタブの一部と係合可能であり、前記チョーク手段は、前記ストレインリリーフカバーの前記ストレインリリーフ手段と前記コンタクト手段の段状部との間に受容可能である。さらに、前記コンタクト固定手段は、前記ストレインリリーフ手段の反対側に配置される細長部の端部上において、前記コンタクトケーシングとラッチ係合可能とされる。
【００１７】
本発明の一実施形態において、プラグインコネクタ上において備えられた電線の信頼性あるストレインリリーフを実現可能、コネクタ組立体またはプラグインコネクタにおける電気コンタクト手段およびチョーク手段の固定保証、簡易および低コストの組立可能、および小型、コンパクト、頑強な設計であるように、プラグインコネクタまたは電気プラグインコネクタが設計される。この場合において、プラグインコネクタの組立は、顧客の設備において、少なくとも部分的に構成される電線を前記コネクタ組立体に独立して具備させることが可能となるようにできることになる。
【００１８】
特にコンタクト固定手段の複数の相互ラッチ係合を用いるために、ストレインリリーフカバーおよびプラグインコネクタ固定手段、頑強なプラグインコネクタが生産される。プラグインコネクタのコンタクトケーシングは、全ての力を吸収し、ケーシング接続などの相手電気コネクタの相手コネクタケーシングを通じて、力をケーシング内へ導入する。そのような場合において、コネクタ組立体内に配置された電気コンタクト手段、生産可能な相手コネクタとの電気接続、電線上に着座されるチョーク手段または電線とコンタクト手段との電気接続および電線と電気接続されるチョーク手段は、力がほぼないままである。このようにして、プラグインコネクタの永続的な機能は確実にされる。
【図面の簡単な説明】
【００１９】
【図１】図１は、三次元分解図によって、本発明のコネクタ組立体および本発明の電気プラグインコネクタの第一実施形態を示す図である。
【図２】図２は、後部側面から見た斜視図によって、本発明のコネクタ組立体の第二実施形態を備える本発明の電気プラグインコネクタの第二実施形態を示す図である。
【図３】図３は、後部側面から見た斜視図によって、最終的なラッチ位置における相手電気コネクタ上のプラグインコネクタを示す図である。
【図４】図４は、最終的なラッチ位置における相手コネクタ上のプラグインコネクタの第一実施形態の長手方向の断面図であり、側面から見た斜視図である。
【図５】図５は、電線およびコンタクト手段に沿った領域における仮ラッチ位置においてのプラグインコネクタの第二実施形態の横方向の断面図であり、横から見た斜視図である。
【図６】図６は、両方の実施形態に適用可能なプラグインコネクタを示す上から見た斜視図であり、プラグインコネクタはフェライトの把持領域においては、断面で示されている。
【図７】図７は、作動方向とは反対側にプラグインコネクタ固定手段でラッチ係合する領域が示されている、フェライト無しのプラグインコネクタの第二実施形態の横方向の断面図であり、横から見た斜視図である。
【図８】図８は、作動方向側にプラグインコネクタ固定手段でラッチ係合する領域が示されており、さらにストレインリリーフカバー無しの図７に似たプラグインコネクタの斜視図である。
【発明を実施するための形態】
【００２０】
本発明は、添付の図面を参照して実施形態の例を用いて、以下より詳述される。
【００２１】
本発明は、自動車分野におけるエアバックなどの電気プラグイン接続用の１８０°電気ソケットプラグインコネクタを参照して、より詳細に以下説明される。しかしながら、本発明は、そのようなアプリケーションの形態に制限されることなく、他の電気工学の分野（特に、安全性が重要視されるべきアプリケーション）で用いられてもよい。当然、本発明は、電気オスコネクタや電気ピンプラグインコネクタにも適用可能である。本発明の２つの特定の実施形態が、それぞれが本発明の複数の上述の異なる形態を含み、より詳細に以下説明される。当然ながら、本発明の一実施形態において、上述の個別または複数から説明される異なる形態を実現可能である。
【００２２】
阻止、ラッチ係合、ロックまたは係合についてのさらなる記述がなされるが、これらの用語は同意語として用いられてもよい。すなわち、阻止またはラッチ係合に関する手段は、ロックや係合に用いられてもよく、その逆も然りである。すなわち、詳細に示された手段は、互いに相互交換可能である。それゆえに、突起と機械的に協働するフックは、任意のアンダーカット凹部や貫通凹部と協働するフックや突起などによって（さらに協働する２つのフック、協働する２つの肩部、肩部と協働するフックおよびフックと協働する肩部またはこれら混合形態を用いることが可能である）、他の手段によって置換可能である。
【００２３】
図１の分解図は、本発明のコネクタ組立体１２および本発明の電気プラグインコネクタ１０の第一実施形態を示す図である。プラグインコネクタ１０は、少なくとも１つの電気コンタクト手段５０、任意の少なくとも１つの電線６０および任意のチョーク手段７０をさらに備える点でコネクタ組立体１２と異なっている。この場合の電気コンタクト手段５０は、好適には所定の形に曲げられた打ち抜きソケットコンタクト５０として形成されるが、打ち抜き品として必ずしも形成される必要もなく、オスコンタクトやピンコンタクトであってもよい。チョーク手段７０は、ここではフェライト７０として形成される。当然、ダイオード、別の電磁的または電気的チョーク手段のような別のチョーク手段７０がフェライト７０の代わりに用いられてもよい。
【００２４】
コネクタ組立体１２およびプラグインコネクタ１０の２つの実施形態（図２および３参照）は、両方とも本発明の第二実施形態を示し、コンタクトケース１００、コンタクト固定手段２００、ストレインリリーフカバー３００（ストレインリリーフキャップ３００）およびプラグインコネクタ固定手段（ＣＰＡ：Connector Position Assurance）４００をそれぞれ備え、これら要素１００，２００，３００および４００の各々は、例えば射出成形工程で、材料に関して一部材で生産すると好適である。すなわち、以下説明されるように、これら４つの要素１００，２００，３００および４００の機能は、一部品として実現されると好適である。プラグインコネクタ１０の場合において、全ての上述の要素１００，２００，３００および４００は、コンタクトケース１００上／内に直接的にまたは間接的に締結され、好適には、コンタクト固定手段２００によって２つの電気コンタクト手段５０がコンタクトケース１００内に保持されると好適である。コンタクト固定手段２００（好適にはストレインリリーフカバー３００を備える）は、プラグインコネクタ１０の２つの電線６０用のストレインリリーフを提供する。
【００２５】
プラグインコネクタ固定手段４００は、プラグインコネクタ１０を電気相手コネクタ８０（本発明の電気プラグイン接続１を示す図３参照。例えば、ケーシング接続８０、相手コネクタ８０、ヘッダ８０またはインターフェース８０などとして形成可能である。）に固定するために重要に役立つものである。このために、プラグインコネクタ固定手段４００は、プラグインコネクタ１０上またはコンタクトケーシング１００上の最終ラッチ位置Ｅ（図３参照）に配置され、この位置で、相手コネクタ８０における相手コネクタケーシング８００内にプラグインコネクタ１０またはコンタクトケーシング１００を停止させる。相手コネクタ８０とプラグインコネクタ１０とを組み立てる前に、プラグインコネクタ固定手段４００は、プラグインコネクタ１０上またはコンタクトケーシング１００上において、仮ラッチ位置Ｖ（図２参照）にある。プラグインコネクタ固定手段４００が仮ラッチ位置Ｖから最終ラッチ位置Ｅまで移動する上で、プラグインコネクタ固定手段４００は、コンタクト固定手段２００（第一実施形態）および／またはストレインリリーフカバー３００（第二実施形態）と付加的にラッチ係合される。
【００２６】
コンタクトケーシング１００は、相手コネクタ８０との電気接続をするために、相手コネクタケーシング８００内でラッチ係合する少なくとも１つ（好適には２つ）のラッチタブ１５５を備えるケーシングボディ１５４を有する。これによって、プラグインコネクタ固定手段４００の最終ラッチ位置がプラグイン接続１内に設立可能である。この点は、図４から図８および以下に参照される。この場合において、コンタクトケーシング１００は、リセプタクル１４０内のケーシングボディ１５４内に受容される複数の電気コンタクト手段５０と、相手コネクタ８０の、特にピンコンタクト９０として形成された電気コンタクト手段９０との電気接続を生じさせる。
【００２７】
さらに、コンタクトケーシング１００は、プラグインコネクタ１０の挿入方向Ｓの反対側へ、ケースボディ１５４から離れる方向に突出する少なくとも１つ（好適には２つ）のガイドタブ１５２を備え、このガイドタブ１５２によって、プラグインコネクタ固定手段４００が移動方向に受容可能となる。このために、プラグインコネクタ固定手段４００は、それぞれ壁４５０内に（好適には、断面で完全に環状である）ガイド凹部４５２を備える。好適には、それぞれのガイドタブ１５２が断面においてほぼＬ字形状に形成されるように、コンタクトケーシング１００の隅の領域にあるそれぞれのガイドタブ１５２が、曲面によって、この隅の周りに案内される。それぞれのガイド凹部４５２は、これに対応して形成される。これは、プラグインコネクタ固定手段４００がプラグインコネクタ１０上において二方向（すなわち、ガイドタブ１５２に沿って上方向または下方向）にのみ移動可能となることを意味する。
【００２８】
長手方向の自由端部において、ガイドタブ１５２は、それぞれ、凹部１５３に対応するストレインリリーフカバー３００の一部が係合可能な凹部１５３を備えるので、カバー３００は、プラグインコネクタ１０の１または２の横方向に保持可能である。そのために、プラグインコネクタ１０上の組立状態において、ストレインリリーフカバー３００は、それぞれの凹部１５３に近接した壁または突起を備える。この場合の各凹部１５３は、ガイドタブ１５２の二次元拡がり方向にそれぞれのガイドタブ１５４へ向けて延伸する。すなわち、長手方向の断面において、それぞれの凹部１５３が、関連するガイドタブ１５４の側面に備えられた状態となり、ストレインリリーフカバー３００がプラグインコネクタ１０上に差し込まれる。
【００２９】
コンタクト固定手段２００は、断面においてほぼ”Ｕ字”形状である。１つのリム(limb)が、電気コンタクト手段５０用のロック手段２１０として形成され、別のリムがストレインリリーフ手段２３０として形成される。ストレインリリーフ手段２３０は、独自で（図示しない）、または、ストレインリリーフカバー３００のストレインリリーフ手段３３０と協働することで、電線６０のためのストレインリリーフを実現する。コンタクト固定手段２００は、プラグインコネクタ１０上にストレインリリーフカバー３００を固定する。コンタクト固定手段２００のストレインリリーフ手段２３０だけがストレインリリーフとして備えられる場合については、このことは、以下説明されるように構成されてもよく、例えばコンタクトケーシング１００上に備えられる停止部に対して電線６０を押圧してもよい。
【００３０】
コンタクト固定手段２００の２つのリムは、細長部２２０（”Ｕ字”形状の部分片）を経て互いに接続される。プラグインコネクタ１０上のコンタクト固定手段２００の組立状態において、内側に案内される突起２２２が細長部２２０に一体的に備えられる。突起２２２によって、フェライト７０は、ストレインリリーフカバー３００に対して（好適には、図６に示されるように、ストレインリリーフ３００上に備えられた停止部３２２または突起３２２に対して）押圧可能となる。例えば、突起２２２の代わりに、任意に弾性タブが用いられてもよい。このことは、ストレインリリーフカバー３００の内部停止部３２２または突起３２２にも適用可能である。これによって、少なくとも二方向でフェライト７０は固定され、この挟み込みの強さに応じて、フェライト７０は、別の二次元方向にも固定される。
【００３１】
コンタクト固定手段２００のロック手段２１０は、電気コンタクト手段５０の数により、同じ数のロック突起２１２を好適には備える。すなわち、各コンタクト手段５０は、コンタクトケーシング１００のそれぞれのリセプタクル１４０内に保持される個別のロック突起２１２を備える。しかしながら、それぞれ２つのコンタクト手段５０用の個別の突起またはそれぞれ３つのコンタクト手段５０用の２つのロック突起２１２を備えることが可能となる。さらに、コンタクト固定手段２００は、ロック手段２１０の領域内でコンタクトケーシング１００上にラッチ係合される。そのために、ロック手段２１０は、ラッチ突起２１４として形成されたラッチ手段２１４を好適には備える。コンタクトケーシング１００は、好適にはラッチ肩部１１４（図４参照）として形成されたラッチ手段１１４を備える。
【００３２】
コンタクト固定手段２００のストレインリリーフ手段２３０は、好適には櫛歯状に構成される。対応する凹部２３３が、プラグインコネクタ１０上の電線６０の数により、この櫛歯状構造の２つの突起２３１間に備えられる。すなわち、好適には１つ以上の突起２３１が、プラグインコネクタ１０上の電線６０の数に対応するのではなく、ストレインリリーフ手段２３０上に備えられる。電線６０の縦方向の短い部分が２つの突起２３１間（すなわち凹部２３３内）に受容および挟み込み可能である。このために、それぞれの電線６０は、関連する凹部２３３内へ押圧される。このことは、例えば、ストレインリリーフカバー３００の対応部によってなされる。しかしながら、このことは、ストレインリリーフ手段２３０および対応する停止部（図示せず）によってなされてもよい。
【００３３】
突起２３１間の凹部２３３は、内側に傾斜している。少なくとも１つの歯２３２が凹部２３３の内部に備えられている。歯２３２を用いることによって、電線６０の電気絶縁被膜６００は、変形可能または挟み込み可能となる。この場合において、関連する歯２３２は、関連する凹部２３３に沿って長く延伸すると好適であり、それゆえにある突起２３１が隣の突起２３１と結合する。凹部２３３の歯の縁部は、構成されたストレインリリーフの場合において、ストレインリリーフカバー３００（図４、図５および図７参照）の対応する縁部に対して電線６０を押圧する。
【００３４】
組み立てられたプラグインコネクタ１０の場合においては、コンタクト固定手段２００は、好適には、ストレインリリーフ手段２３０の領域内においてストレインリリーフカバー３００とラッチ係合される。このために、ストレインリリーフ手段２３０は、ラッチ手段３３８（好適にはストレインリリーフカバー３００（図４参照）のラッチ肩部３３８として形成される）とラッチ係合されることを意味するラックフック２３８として形成されたラッチ手段２３８を好適には備える。この場合において、好適には、２つのラッチフック２３８が、ストレインリリーフ手段２３０の２つの外部突起２３１の相対的な長手方向の端部に備えられる。フックがストレインリリーフカバー３００のラッチ肩部３３８上の内部にラッチ係合される。ラッチ肩部３３８は、好適には、ストレインリリーフカバー３００の凹部３３１の開口の後に突起として備えられる。コンタクト固定手段２００のストレインリリーフ手段２３０は、電線６０のためのストレインリリーフの目的のためにこの突起と係合可能である。
【００３５】
さらに、コンタクト固定手段２００は、ストレインリリーフ手段２３０の領域内において、好適には端面からアクセス可能であり、特に係合凹部２３４として形成された係合手段２３４を備える。この中へ、プラグインコネクタ固定手段４００の最終ラッチ位置Ｅにおいて、プラグインコネクタ固定手段４００の係合手段４３４（好適には突起４３４やスタッド（ｓｔｕｄ）４３４として好適には形成される）が係合可能である。このことによって、プラグインコネクタ１０上にコンタクト固定手段２００を付加的に固定または保持する。
【００３６】
ストレインリリーフカバー３００すなわちストレインリリーフキャップ３００におけるストレインリリーフ手段３３０は、１つまたは２つの側面が開いており、側面が部分的に覆われているほぼ直方体として好適には形成される。すなわち、直方体は、この直方体の一側面からアクセス可能な凹部３３１を備えている。コンタクト固定手段２００のストレインリリーフ手段２３０が少なくとも部分的に凹部３３１に係合可能である。この場合において、プラグインコネクタ１０の長手方向Ｌにおいて、上下に配置された２つのストレインリリーフ領域は、ストレインリリーフカバー３００上に生じる。この領域は、コンタクト固定手段２００のストレインリリーフ手段２３０と類似するように形成され、ここに概略のみが説明される。すなわち、コンタクト固定手段２００のストレインリリーフ手段２３０についての記載は、ストレインリリーフカバー３００のストレインリリーフ手段３３０のストレインリリーフ領域などにも適用可能である。
【００３７】
コンタクト固定手段２００のストレインリリーフ手段２３０と同様に、２つのストレインリリーフ領域が櫛歯状に構成される。電線６０は、凹部３３３内の２つの突起３３４の間に受容可能である。この場合において、電線６０を挟み込む歯３３２すなわちストレインリリーフ歯３３２が再び備えられる。組み立てられた電気プラグインコネクタ１０または製造された電気ケーブル２の場合において、コネクタ組立体１２の２つのストレインリリーフ手段２３０，３３０は互いに向かって移動する。コンタクト固定手段２００のストレインリリーフ手段２３０は、ストレインリリーフカバー３００のストレインリリーフ手段３３０の凹部３３１内に係合する。ストレインリリーフ手段２３０，３３０の両方は、互いにラッチ係合される（図４参照）。この場合において、ストレインリリーフカバー３００は、ガイドタブ１５２上（特に関連するガイドタブ１５２の凹部１５３の内壁上）に支持される。
【００３８】
この場合において、関連する電線６０は、挟み込むように把持される。プラグインコネクタ１０の長手方向Ｌの外側にあるストレインリリーフカバー３００の２つのストレインリリーフ部とコンタクト固定手段２００の内側のストレインリリーフ部は、互いに対向するように配置された２つの側面から電線６０を把持し、それゆえにストレインリリーフを実現する。すなわち、単独の電線６０のストレインリリーフは、３つの凹部３３３，３２３，３３３または６つの突起３３４，３３４；２３１，２３１；３３４，３３４によって行われる。好適には、この場合において、１つまたは２つのストレインリリーフ歯３３２は、ストレインリリーフカバー３００のストレインリリーフ手段３３０の下部および上部の凹部３３３（例えば図４参照）に配置される。２つのストレインリリーフ歯３３２は、コンタクト固定手段２００のストレインリリーフ手段２３０の凹部２３３上に配置される。
【００３９】
本発明の第二実施形態において、ストレインリリーフカバー３００は、アンダーカットの凹部３３６すなわち貫通凹部３３６として好適には形成されたラッチ手段３３６を備える。この場合におけるラッチ手段３３６は、外側からプラグインコネクタ固定手段４００にアクセス可能である。プラグイン接続１上のプラグインコネクタ固定手段４００の最終ラッチ位置Ｅにおいて、プラグインコネクタ固定手段４００のラッチ手段４３６（好適にはラッチ突起４３６またはラッチフック４３６として形成される）は、ストレインリリーフカバー３００のラッチ手段３３６（図２、図３、図５および図７参照）とラッチ係合する。プラグインコネクタ固定手段４００がストレインリリーフカバー３００とラッチ係合するのと同時に、プラグインコネクタ固定手段４００もコンタクト固定手段２００とラッチ係合する。これにより、３つの要素を互いに固定することが可能となる。
【００４０】
さらに、ストレインリリーフカバー３００が一次元方向にフェライト７０を保持するようにコンタクト固定手段２００と協働するだけでなく、コンタクト固定手段２００がプラグインコネクタ１０内の別次元方向においても１つまたは複数の電気コンタクト手段５０と協働することでも固定すると好適である。このために、ストレインリリーフカバー３００は、ストレインリリーフ手段３３０の下部外側に、停止部３３５すなわち肩部３３５を備える。その上に、フェライト７０がプラグインコネクタ１０内において組立状態で着座される。フェライト７０用の反対面は、１つまたは複数のコンタクト手段５０によって形成され、好適には段状部５１０（図４、図５および図７参照）を備える。このことは、適切なコンタクト手段５０上のタブまたは突起として実現することも可能である。
【００４１】
コンタクト固定手段２００およびストレインリリーフカバー３００と、プラグインコネクタ固定手段４００との相互作用については、既に上述で説明したゆえに、この点についてはこれ以上取り扱わない。ここで、電気プラグインコネクタ１０上のプラグインコネクタ固定手段４００の仮ラッチ位置Ｖおよび最終ラッチ位置Ｅが、図７および図８を参照して詳述される。プラグインコネクタ１０が相手電気コネクタ１０内のラッチタブ１５５と一旦ラッチ係合すると、プラグインコネクタ固定手段４００は、その場合のみ、最終ラッチ位置Ｅに移動する。プラグインコネクタ固定手段４００が最終ラッチ位置Ｅにある場合は、その後プラグインコネクタ固定手段４００のタブ４１５が相手コネクタ８０内にコンタクトケーシング１００のラッチタブ１５５を停止する。プラグインコネクタ固定手段４００が仮ラッチ位置Ｖへ一旦再び移動すると、プラグインコネクタ１０は、相手コネクタ８０から再び引き出すことのみが可能となる。
【００４２】
仮ラッチ位置Ｖにおいて、プラグインコネクタ固定手段４００は、プラグインコネクタ１０およびコンタクトケーシング１００上に、移動二方向（すなわち、プラグインコネクタ１０の挿入方向Ｓおよびその反対方向）でラッチ係合される。このために、プラグインコネクタ固定手段４００は、少なくとも１つのラッチ手段４２０（好適にはラッチタブ４２０として形成される）を備え、よって、一方で、プラグインコネクタ１０上の両方の移動方向において仮ラッチ位置Ｖでラッチ係合させ、他方で、プラグインコネクタ固定手段４００の挿入方向Ｓの反対側の相手コネクタ８０内（最終ラッチ位置Ｅ）にラッチ手段８２０（好適にはラッチ突起８２０として形成される）とラッチ係合させることが実現可能となる。好適には、プラグインコネクタ固定手段４００は、２つのラッチ手段４２０またはラッチタブ４２０を備えるが、以下では１つのみについて言及する。
【００４３】
ラッチタブ４２０は、プラグインコネクタ１０の挿入方向Ｓにおける仮ラッチ位置Ｖにおいて、最終ラッチ位置Ｅの方向へプラグインコネクタ固定手段４００の移動を防止する第一ラッチ面４２１を、コンタクトケーシング１００とラッチ固定するために、備える。このために、好適には、突起が、第一ラッチ面４２１を与える２つの二次元の長い側面の１つ上に好適には細長のラッチタブ４２０上に形成される。仮ラッチ位置Ｖおよびラッチタブ４２０の非係合状態において、第一ラッチ面４２１は、コンタクトケーシング１００の第一内部ベアリング領域１２１（図８参照）に対して配置される。同時に、ラッチタブ４２０は、コンタクトケーシング１００の第二ベアリング領域１２３（図７参照）に対して長手方向の端部に備えられた第二ラッチ面４２３と共に配置される。この場合において、２つのベアリング領域１２１，１２３は、少なくとも部分的に互いから離れている。
【００４４】
ラッチタブ４２０は、好適には、自由端において、相手電気コネクタ８０内へプラグインコネクタ１０を進入させる際に、１つの側面にラッチタブ４２０を変位させる傾斜した作動面４２２を備える。このために、相手コネクタ８０は、ラッチタブ４２０の作動面４２２がプラグインコネクタ１０の移動の際に、挿入方向Ｓに離れるようにスライドすることで、ラッチタブ４２０を置換する作動縁８２２すなわち作動面８２２を備える。さらに、プラグインコネクタ１０の挿入方向Ｓにおいて、好適には、作動縁８２２の下において、相手コネクタ８０は、ラッチタブ４２０の第二ラッチ面４２３がプラグインコネクタ固定手段４００の最終ラッチ位置Ｅにおいてラッチタブ４２０（好適には開始位置まで戻っている）とラッチ係合するラッチ面８２２を備える。
【００４５】
ラッチタブ４２０の横への変位において、第一ラッチ面４２１は、コンタクトケーシング１００の第一ベアリング領域１２１から係合解除される。最終ラッチ位置Ｅの方向にプラグインコネクタ固定手段４００を移動させる際には、第一ラッチ面４２１に備えられる突起は、コンタクトケーシング１００内の間隙１２５を通じて移動する。これは、このラッチ係合がもはや効果なく、プラグインコネクタ固定手段４００の最終ラッチ位置Ｅが実現可能であることを意味している。最終ラッチ位置Ｅにおいて、開始位置まで戻るラッチタブ４２０の移動の際に関して、第一ラッチ面４２１が備えられる突起が戻り移動することを妨げることがない（すなわち、対応する間隙がコンタクトケーシング１００内に備えられているため）。
【００４６】
コンタクトケーシング１００の第二内部ベアリング領域１２３は、プラグインコネクタ１０の長手方向Ｌの菱形手段に備えられる。この形の上面において、プラグインコネクタ固定手段４００の仮ラッチ位置Ｖを構成するための少なくとも１つの作動面１２２が備えられる。長手方向の端部に備えられる作動面４２２を備えたラッチタブ１２３が離れるようにスライドして、プラグインコネクタ１０上のプラグインコネクタ固定手段４００の仮ラッチ位置Ｖを実現可能である。ラッチタブ４２０の横に離れるように移動するというこのようなことは、上述の複数の実施形態で同様に起こる。
【符号の説明】
【００４７】
２・・・電気ケーブル
１０・・・電気プラグインコネクタ
１２・・・コネクタ組立体
５０・・・電気コンタクト手段
６０・・・電線
７０・・・フェライト（チョーク手段）
１００・・・コンタクトケーシング
１５２・・・ガイドタブ
２００・・・コンタクト固定手段
２１０・・・ロック手段
２２０・・・細長部
２２２・・・突起
２３０，３３０・・・ストレインリリーフ手段
２３２，３３２・・・歯
２３４・・・係合手段（凹部、貫通凹部）
２３８・・・ラッチ手段（ラッチフック）
３００・・・ストレインリリーフカバー
３２２・・・停止部
３３１・・・凹部
３３６・・・ラッチ手段（アンダーカット凹部、貫通凹部）
３３８・・・ラッチ手段（ラッチ肩部）
４００・・・プラグインコネクタ固定手段
４３４・・・係合手段（突起、スタッド）
４３６・・・ラッチ手段（ラッチ突起、ラッチフック）
４５０・・・環状壁
４５２・・・ガイド凹部
５１０・・・段状部
６００・・・電気絶縁被膜
Ｅ・・・最終ラッチ位置
Ｌ・・・長手方向
Ｖ・・・仮ラッチ位置
【図８】
2013531340.tif 000003
【図１】
2013531340.tif 000004
【図２】
2013531340.tif 000005
【図３】
2013531340.tif 000006
【図４】
2013531340.tif 000007
【図５】
2013531340.tif 000008
【図６】
2013531340.tif 000009
【図７】
2013531340.tif 000010
【国際調査報告】
2013531340.tif 000011
2013531340.tif 000012
2013531340.tif 000013